(57)【要約】    【課題】挿入物の表面に簡単に取り付けて用いることができる滑動補助ユニットを、提供することである。    【解決手段】滑動補助ユニット５であって、多数のボール６とハウジング７とリテーナー８とを一体的に備えており、全体として平板状の形態を有しており、ボール６は、ハウジング７に形成された縦長の周回溝７１に、周回溝７１に沿って移動可能に、収容されており、周回溝７１は、対向する縦長部に高低差があるように形成されており、リテーナー８は、高い方の縦長部に位置しているボールが露出するように、ハウジング７を塞いでおり、リテーナー８の表面８０は平坦であり、高い方の縦長部の深さは、ボール６がリテーナー８の表面８０から突出する深さに、及び、挿入物の表面に取り付けられた際にボール６が挿入物の表面から突出する深さに、設定されている。【選択図】図６
2018052662.tif 000002
【特許請求の範囲】
【請求項１】
挿入物の表面に取り付けて用いられるようになっており、被挿入物への挿入物の挿入を補助する、滑動補助ユニットであって、
多数のボールとハウジングとリテーナーとを一体的に備えており、全体として平板状の形態を有しており、
多数の前記ボールは、前記ハウジングに形成された縦長の周回溝に、前記周回溝に沿って移動可能に、収容されており、
前記周回溝は、対向する縦長部に高低差があるように形成されており、
前記リテーナーは、高い方の前記縦長部に位置している前記ボールが露出するように、前記ハウジングを塞いでおり、
前記リテーナーの表面は平坦であり、
高い方の前記縦長部の深さは、前記ボールが前記リテーナーの表面から突出する深さに、及び、前記挿入物の前記表面に取り付けられた際に前記ボールが前記挿入物の前記表面から突出する深さに、設定されている、
ことを特徴とする滑動補助ユニット。
【請求項２】
筒状のドラム本体と多数のラグとを備えており、
前記ドラム本体が、表面に、規則的な配置で形成された、複数の貫通孔を有しており、
前記ラグが、前記貫通孔を通って前記ドラム本体の表面に突出可能に設けられている、
テープ巻取シャフトにおいて、
前記ドラム本体の表面に、規則的な配置で、請求項１記載の複数の滑動補助ユニットが、設けられており、
前記滑動補助ユニットは、リテーナーの表面から突出しているボールが前記ドラム本体の表面からも突出しているように、設けられている、
ことを特徴とするテープ巻取シャフト。
【発明の詳細な説明】
【技術分野】
【０００１】
本発明は、挿入物の表面に取り付けて用いられるようになっており、被挿入物への挿入物の挿入を補助する、滑動補助ユニット、及び、該ユニットが表面に取り付けられたテープ巻取シャフト、に関する。
【背景技術】
【０００２】
テープ巻取シャフトは、テープを筒状コアに巻き取る際に、筒状コア内に挿入されて筒状コアを保持するのに、用いられる。このようなテープ巻取シャフトは、例えば、特許文献１〜４に示されている。ところで、筒状コアへのテープ巻取シャフトの挿入を円滑に行うために、例えば、筒状コアの内周面にベアリングを設ける、という構成が、提案されている。
【先行技術文献】
【特許文献】
【０００３】
【特許文献１】特許第２５６７０５９号公報
【特許文献２】特許第４６２５２０９号公報
【特許文献３】実用新案登録第２５２２４５２号公報
【特許文献４】実公平５−３７９７７号公報
【発明の概要】
【発明が解決しようとする課題】
【０００４】
しかしながら、筒状コアの内周面にベアリングを設けるのは、非常に困難である。
【０００５】
本発明は、挿入物の表面に簡単に取り付けて用いることができる滑動補助ユニット、及び、該ユニットが取り付けられたテープ巻取シャフト、を提供することを目的としている。
【課題を解決するための手段】
【０００６】
本発明の第１態様は、
挿入物の表面に取り付けて用いられるようになっており、被挿入物への挿入物の挿入を補助する、滑動補助ユニットであって、
多数のボールとハウジングとリテーナーとを一体的に備えており、全体として平板状の形態を有しており、
多数の前記ボールは、前記ハウジングに形成された縦長の周回溝に、前記周回溝に沿って移動可能に、収容されており、
前記周回溝は、対向する縦長部に高低差があるように形成されており、
前記リテーナーは、高い方の前記縦長部に位置している前記ボールが露出するように、前記ハウジングを塞いでおり、
前記リテーナーの表面は平坦であり、
高い方の前記縦長部の深さは、前記ボールが前記リテーナーの表面から突出する深さに、及び、前記挿入物の前記表面に取り付けられた際に前記ボールが前記挿入物の前記表面から突出する深さに、設定されている、
ことを特徴としている。
【０００７】
本発明の第２態様は、
筒状のドラム本体と多数のラグとを備えており、
前記ドラム本体が、表面に、規則的な配置で形成された、複数の貫通孔を有しており、
前記ラグが、前記貫通孔を通って前記ドラム本体の表面に突出可能に設けられている、
テープ巻取シャフトにおいて、
前記ドラム本体の表面に、規則的な配置で、請求項１記載の複数の滑動補助ユニットが、設けられており、
前記滑動補助ユニットは、リテーナーの表面から突出しているボールが前記ドラム本体の表面からも突出しているように、設けられている、
ことを特徴としている。
【発明の効果】
【０００８】
本発明の第１態様の滑動補助ユニットによれば、挿入物の表面に、凹部を形成するだけで簡単に取り付けることができる。したがって、円滑に挿入できる挿入物を生産性良く得ることができる。
【０００９】
本発明の第２態様のテープ巻取シャフトによれば、滑動補助ユニットの突出しているボールが筒状コア（被挿入物）の内面を連続して摺動するので、筒状コア内に円滑に挿入できる。
【図面の簡単な説明】
【００１０】
【図１】本発明の滑動補助ユニットが取り付けられたテープ巻取シャフトの側面図である。
【図２】図１のII−II断面図である。
【図３】ラグが突出した状態を示す、図２に相当する図である。
【図４】図１のIV−IV断面図である。
【図５】滑動補助ユニットを取り付ける様子を示す断面部分図である。
【図６】滑動補助ユニットの平面図である。
【図７】滑動補助ユニットの底面図である。
【図８】図６のVIII−VIII断面図である。
【図９】ハウジングの平面図である。
【図１０】図９のＸ−Ｘ断面図である。
【図１１】図９のＸＩ−ＸＩ断面図である。
【図１２】ボールを収容したハウジングの平面図である。
【図１３】リテーナーの平面図である。
【図１４】図１３のＸIV矢視図である。
【図１５】図１３のＸＶ−ＸＶ断面図である。
【図１６】多数のボールを収容したハウジングがリテーナーで覆われた状態を示す平面図である。
【図１７】図１６のＸVII−ＸVII断面透視図である。
【図１８】図１６のＸVIII−ＸVIII断面透視図である。
【発明を実施するための形態】
【００１１】
図１は、本発明の滑動補助ユニットが取り付けられたテープ巻取シャフトの側面図である。図２は、図１のII−II断面図である。テープ巻取シャフト（挿入物）は、テープを筒状コア（被挿入物）に巻き取る際に、筒状コア内に挿入されて筒状コアを保持するのに、用いられる。このテープ巻取シャフト１は、筒状のドラム本体２と多数のラグ３とを備えている。ドラム本体２は、表面２０に、規則的な配置で形成された、複数の貫通孔２１を、有している。ここでは、貫通孔２１は、ドラム本体２の一円周において、等間隔に４個、形成されている。ラグ３の内側には、外部から供給される空気によって膨張する膨張体４が、設けられている。ラグ３は、貫通孔２１に嵌挿している突部３１と、膨張体４の外周面に当接する円弧部３２と、からなっている。そして、ラグ３は、図３に示されるように、膨張体４が膨張すると、突部３１が貫通孔２１を通ってドラム本体２の表面２０に突出するようになっている。これにより、テープ巻取シャフト１は、ラグ３が突出していない状態（図２の状態）で筒状コア（図示せず）内に挿入した後に、ラグ３を突出させて筒状コアの内面に圧接させることによって、筒状コアを保持するようになっている。
【００１２】
そして、ドラム本体２の表面２０には、複数の滑動補助ユニット５が取り付けられている。図４は、図１のIV−IV断面図である。滑動補助ユニット５は、図５に示されるように、ドラム本体２の表面２０に形成された凹部２２内に、埋め込むように、取り付けられている。滑動補助ユニット５は、長手方向の両端に取付部５０を有しており、取付部５０においてボルト５５によって固定することにより、取り付けられている。滑動補助ユニット５は、ドラム本体２の一円周において、等間隔に４個、設けられている。滑動補助ユニット５は、ドラム本体２の軸方向（長手方向）において隣接するラグ３の間に、且つ、ドラム本体２の円周方向において隣接するラグ３の間に、配置されている。
【００１３】
図６は、滑動補助ユニット５の平面図である。図７は、滑動補助ユニット５の底面図である。図８は、図６のVIII−VIII断面図である。滑動補助ユニット５は、所謂「リニアブッシュ機構」を有している。滑動補助ユニット５は、多数のボール６とハウジング７とリテーナー８とを一体的に備えており、全体として平板状の形態を有している。滑動補助ユニット５は、ボール６を収容したハウジング７をリテーナー８で覆って、構成されている。
【００１４】
図９は、ハウジング７の平面図である。図１０は、図９のＸ−Ｘ断面図である。図１１は、図９のＸＩ−ＸＩ断面図である。ハウジング７は、縦長の周回溝７１を有している。周回溝７１は、ボールエンドミルを用いて切削することによって、形成されている。周回溝７１は、平行に対向している縦長部７１１と縦長部７１２との間に高低差があるように、形成されており、したがって、縦長部７１１から縦長部７１２への移行部７１３、７１４は、傾斜溝となっている。縦長部７１１の深さＤ１と縦長部７１２の深さＤ２との関係は、Ｄ１＜Ｄ２である。
【００１５】
なお、滑動補助ユニット５は、両縦長部７１１、７１２がドラム本体２の軸方向に沿うように、ドラム本体２に取り付けられている。
【００１６】
図１２は、多数のボール６がハウジング７の周回溝７１に収容された状態を示す平面図である。ボール６は、周回溝７１に沿って移動できるように、周回溝７１に収容されている。
【００１７】
図１３は、リテーナー８の平面図である。図１４は、図１３のＸIV矢視図である。図１５は、図１３のＸＶ−ＸＶ断面図である。リテーナー８は、ハウジング７を上方から覆う平面部８１と、ハウジング７を側方から把持する側面部８２１、８２２と、からなっている。平面部８１の表面８０は、平坦である。そして、平面部８１の幅方向Ｗの半分には、縦長孔８３が形成されている。縦長孔８３は、リテーナー８がハウジング７を覆った時に、周回溝７１の浅い縦長部７１１に収容されているボール６が、露出するように、形成されている。但し、縦長孔８３の幅Ｗ１は、ボール６の直径より少し小さく、設定されている。よって、ボール６は、縦長孔８３を通り抜けることはない。
【００１８】
図１６は、多数のボール６を収容したハウジング７がリテーナー８で覆われた状態を示す平面図である。図１７は、図１６のＸVII−ＸVII断面透視図である。図１８は、図１６のＸVIII−ＸVIII断面透視図である。図１７又は図８に示されるように、縦長孔８３を通して露出しているボール６は、リテーナー８の表面８０から突出しており、更には、図４に示されるように、滑動補助ユニット５がドラム本体２の表面２０に取り付けられた際に、表面２０からも突出している。すなわち、浅い縦長部７１１の深さＤ１は、収容したボール６が表面８０及び表面２０から突出する深さに、設定されている。なお、深い縦長部７１２の深さＤ２は、ボール６が完全に収容される深さに、設定されている。
【００１９】
前記構成のテープ巻取シャフト１は、筒状コア内に挿入する際に、滑動補助ユニット５の突出しているボール６が図６に示されるように筒状コアの内面を連続して摺動するので、筒状コア内に円滑に挿入できる。なお、図６において、矢印Ａは、テープ巻取シャフト１の挿入方向を示し、矢印Ｂは、ボール６が摺動して移動する方向を示している。
【００２０】
しかも、滑動補助ユニット５は、リニアブッシュ機構を有しており、軸長さＬの区間に存在するボール６の全てが摺動に関与するので、軸方向に安定して摺動する。したがって、前記構成のテープ巻取シャフト１は、筒状コア内に円滑に且つ安定して挿入できる。
【００２１】
また、前記構成の滑動補助ユニット５によれば、次の効果を発揮できる。
（１）テープ巻取シャフト１の表面２０に、凹部２２を形成するだけで簡単に取り付けることができる。したがって、円滑に挿入できるテープ巻取シャフトを生産性良く得ることができる。
【００２２】
（２）リニアブッシュ機構を有しているので、被挿入物の内面との摺動性が良好である。
【００２３】
［変形例］
（ａ）滑動補助ユニット５は、テープ巻取シャフトに限らず、他の挿入物の表面にも、凹部を形成するだけで簡単に取り付けることができ、それによって、当該挿入物の挿入作業の円滑化を実現できる。
【００２４】
（ｂ）滑動補助ユニット５は、挿入物の表面の一円周に、２個以上取り付ければよい。
【産業上の利用可能性】
【００２５】
本発明の滑動補助ユニットは、挿入物の挿入作業の円滑化を実現でき、また、本発明のテープ巻取シャフトは、筒状コア内に円滑に挿入できるので、共に、産業上の利用価値が大である。
【符号の説明】
【００２６】
１  テープ巻取シャフト  ２  ドラム本体  ２０  表面  ２１  貫通孔  ３  ラグ
５  滑動補助ユニット  ６  ボール  ７  ハウジング  ７１  周回溝
７１１、７１２  縦長部  ８  リテーナー  ８０  表面
【図１】
2018052662.tif 000003
【図２】
2018052662.tif 000004
【図３】
2018052662.tif 000005
【図４】
2018052662.tif 000006
【図５】
2018052662.tif 000007
【図６】
2018052662.tif 000008
【図７】
2018052662.tif 000009
【図８】
2018052662.tif 000010
【図９】
2018052662.tif 000011
【図１０】
2018052662.tif 000012
【図１１】
2018052662.tif 000013
【図１２】
2018052662.tif 000014
【図１３】
2018052662.tif 000015
【図１４】
2018052662.tif 000016
【図１５】
2018052662.tif 000017
【図１６】
2018052662.tif 000018
【図１７】
2018052662.tif 000019
【図１８】
2018052662.tif 000020